(57)【特許請求の範囲】
【請求項１】
情報入手手段と、
入室あるいは退室を規制する規制手段と、
前記情報入手手段で得られた情報に基づいて入退室手順が履行されているか否かを判別し、前記入退室手順が履行されている場合に前記規制手段を制御して、入室あるいは退室を許可する入退室管理手段とを有し、
前記情報入手手段は、入退室者の識別情報と、前記入退室者の服装状態を示す服装情報と、入退室前に前記入退室者による手洗いが完了したか否かを示す操作情報とを得、さらに、退出時、前記室内に人が残っていない場合、薬品および試料の少なくとも一方を含む保管物が予め指定された正しい位置に保管されているか否かを示す保管情報を得、前記入退室管理手段は、当該保管情報に基づいて前記保管物が予め指定された正しい位置に保管されていないと判別したとき、退出者に前記保管物を予め指定された正しい位置に戻すように指示する
ことを特徴とする入退室管理システム。
【請求項２】
前記識別情報と、前記服装情報および／または前記操作情報とを関係付けて入退室者情報として保持する入退情報保持手段を有する
ことを特徴とする請求項１記載の入退室管理システム。
【請求項３】
前記情報入手手段は、室内が退室できる状態とされているか否かを示す状態情報を得るものとし、
前記入退室管理手段は、退室者が最後の退出者であるとき、前記状態情報も用いて前記規制手段を制御する
ことを特徴とする請求項１記載の入退室管理システム。
【請求項４】
退室者の身体状況の計測を行う身体状況計測手段を有し、
前記入退情報保持手段は、前記身体状況計測手段の計測結果も関係付けて保持する
ことを特徴とする請求項２記載の入退室管理システム。
【請求項５】
情報入手手段が情報を入手する情報入手工程と、
規制手段が入室あるいは退室を規制する規制工程と、
入退室管理手段が前記情報入手工程で得られた前記情報に基づいて入退室手順が履行されているか否かを判別し、前記入退室手順が履行されている場合に入室あるいは退室を許可する入退室管理工程とを有し、
前記情報入手工程では、前記情報入手手段が、入退室者の識別情報と、前記入退室者の服装状態を示す服装情報と、入退室前に前記入退室者による手洗いが完了したか否かを示す操作情報とを得、さらに、退出時、前記室内に人が残っていない場合、薬品および試料の少なくとも一方を含む保管物が予め指定された正しい位置に保管されているか否かを示す保管情報を得、前記入退室管理工程では、前記入退室管理手段が、当該保管情報に基づいて前記保管物が予め指定された正しい位置に保管されていないと判別したとき、退出者に前記保管物を予め指定された正しい位置に戻すように指示する
ことを特徴とする入退室管理方法。
【請求項６】
入退情報保持手段が、前記識別情報と、前記服装情報および／または前記操作情報とを関係付けて入退室者情報として保持する入退情報保持工程を有する
ことを特徴とする請求項５記載の入退室管理方法。
【請求項７】
前記情報入手工程では、前記情報入手手段が、室内が退室できる状態とされているか否かを示す状態情報を得るものとし、
前記入退室管理工程では、前記入退室管理手段が、退出者が最後の退室者であることを判別したとき、前記状態情報に基づいて前記規制手段を制御する
ことを特徴とする請求項５記載の入退室管理方法。
【請求項８】
身体状況計測手段が、退室者の身体状況の計測を行う身体状況計測工程を有し、
前記入退情報保持工程では、前記入退情報保持手段が、前記身体状況計測工程での計測結果を関係付けて保持する
ことを特徴とする請求項６記載の入退室管理方法。
【発明の詳細な説明】
【技術分野】
【０００１】
本発明は入退室管理システムと入退室管理方法に関する。詳しくは、入退室時に定められている手順の履行状態を含めて入退室を管理するものである。
【背景技術】
【０００２】
従来、微生物を扱う施設や環境汚染物質を扱う施設および半導体素子等の製造施設等では、安全衛生上や秘密保持および品質維持等の目的のため、入退室を管理することが行われている。このような施設では、例えば特許文献１に示すような認証を行い、予め登録されている人のみ入室等が許可される。
【０００３】
【特許文献１】特開２０００−３１１２２０
【発明の開示】
【発明が解決しようとする課題】
【０００４】
ところで、上述のような施設への入退室では、入室時に行わなければならない手順や退室時に行わなければならない手順等が規則として定められている場合が多い。例えば、入室前に、指定の服への着替え、指定の履物への履き替え、手足の洗浄や消毒等を行うことが規則で定められている。また、退室時にも同様に、指定の服から入室前の服への着替え、指定の履物から入室前の履物への履き替え、手足の洗浄や消毒、施錠等の管理等を行うことが規則として定められている。しかし、予め登録されている人であるか否かの管理だけでは、上述のような種々の規則が遵守されているか否か管理することができない。
【０００５】
そこで、この発明では、入退室時に定められている手順の履行状態を含めて入退室を管理する入退室管理システムと入退室管理方法を提供するものである。
【課題を解決するための手段】
【０００６】
この発明に係る入退室管理システムは、情報入手手段と、入室あるいは退室を規制する規制手段と、前記情報入手手段で得られた情報に基づいて入退室手順が履行されているか否かを判別し、前記入退室手順が履行されている場合に前記規制手段を制御して、入室あるいは退室を許可する入退室管理手段とを有し、前記情報入手手段は、入退室者の識別情報と、前記入退室者の服装状態を示す服装情報と、入退室前に前記入退室者による手洗いが完了したか否かを示す操作情報とを得、さらに、退出時、前記室内に人が残っていない場合、薬品および試料の少なくとも一方を含む保管物が予め指定された正しい位置に保管されているか否かを示す保管情報を得、前記入退室管理手段は、当該保管情報に基づいて前記保管物が予め指定された正しい位置に保管されていないと判別したとき、退出者に前記保管物を予め指定された正しい位置に戻すように指示するものである。
【０００７】
また、この発明に係る入退室管理方法は、情報入手手段が情報を入手する情報入手工程と、規制手段が入室あるいは退室を規制する規制工程と、入退室管理手段が前記情報入手工程で得られた前記情報に基づいて入退室手順が履行されているか否かを判別し、前記入退室手順が履行されている場合に入室あるいは退室を許可する入退室管理工程とを有し、前記情報入手工程では、前記情報入手手段が、入退室者の識別情報と、前記入退室者の服装状態を示す服装情報と、入退室前に前記入退室者による手洗いが完了したか否かを示す操作情報とを得、さらに、退出時、前記室内に人が残っていない場合、薬品および試料の少なくとも一方を含む保管物が予め指定された正しい位置に保管されているか否かを示す保管情報を得、前記入退室管理工程では、前記入退室管理手段が、当該保管情報に基づいて前記保管物が予め指定された正しい位置に保管されていないと判別したとき、退出者に前記保管物を予め指定された正しい位置に戻すように指示する
ものである。
【０００８】
この発明においては、入退室者の識別情報、例えば虹彩や指紋あるいは静脈パターン等の生体情報、磁気カード、ＩＣカード等に記憶された識別情報が読み出される。また、入退室者の服装状態例えば帽子や指定された衣服等の着用がなされているか否かを判別可能とする服装情報が生成される。さらに、入室前あるいは退室前に所定の操作、例えば手洗い等が行われているか否かを示す操作情報が生成される。ここで、識別情報によって入退室者が登録されている人であることが確認されて、服装情報によって指定された衣服等の着用が正しくなされていることが確認されて、操作情報によって入室前あるいは退室前に所定の操作がなされたことが確認されたときに、入室あるいは退室が許可される。また、識別情報や服装情報、操作情報等が関係付けられて入退室者情報として登録される。また、退室する際に身体状況、例えば体温や顔色、発汗状態や血圧等が計測されて、計測結果も退室者の識別情報と関係付けて登録される。さらに、退室者が最後の退出者であるときには、室内が退室できる状態とされているか否かを示す状態情報、例えば薬品や試料等が正しい位置に置かれているかや鍵等の保管や施錠の状態等を示す情報も用いて、退室の許可が行われる。
【発明の効果】
【０００９】
この発明によれば、入退室者の識別情報や、入退室者の服装状態を示す服装情報や、入退室前に前記入退室者が予め定めた操作を行ったか否かを示す操作情報等を用いて入室あるいは退室の許可が行われる。このため、入退室時に定められている手順を履行した者のみ入退室を許可することが可能となり、入退室の際に予め規定されている種々の規則を遵守した入退室管理を行うことができる。
【発明を実施するための最良の形態】
【００１０】
以下、本発明の実施の形態について図を用いて説明する。図１は、入退室の管理対象となる施設、例えば遺伝子組換え実験を行う施設を示している。このような施設では、実験で取り扱う生物に応じて物理的封じ込めのレベルが規定されており、「遺伝子組換え生物等の使用等の規制による生物の多様性の確保に関する法律」の２種省令で定める、物理的封じ込めのレベルがＰ３レベル以上であるとき、組換え体や組換え体の作製に使用する微生物などを直接外部に漏らさないための緩衝地帯として、実験室に前室を設けるように規定されている。
【００１１】
前室１０には、例えばロッカー１１が設置されている。ロッカー１１には、研究者が実験室２０で作業を行う際に着用する必要のある帽子、実験衣、手袋、マスク、履物等が格納されている。また、前室１０と実験室２０を仕切る扉１２と、前室１０と外部を仕切る扉１３が設けられており、扉１２と扉１３は同時に開かない構造とされている。扉１２の近くには、研究者が直接手で操作をすることなく手洗い等を行うことができる手洗い場１４が設置されている。
【００１２】
実験室２０の中央には、例えば実験を行う作業台２１が設置されている。また、実験室２０には実験に用いる薬品や試料等を格納するための保管庫２２、保管庫２２の鍵や実験で用いたノートを保管するための机２３、手洗い場２４等が設けられている。さらに、実験室２０には、ＨＥＰＡフィルタ(High Efficiency Particulate Air Filter)等を設置した排気口（図示せず）が設けられており、実験室２０内の空気が、前室１０や前室１０から外部に広がらないように成されている。
【００１３】
前室１０には、実験室２０に入室する際に必要とされる手順が履行されたか否かを管理するために用いる種々の情報を得るための情報入手手段、実験室２０には、実験室２０から退室する際に必要とされる手順が履行されたか否かを管理するために用いる種々の情報を得るための情報入手手段がそれぞれ設けられている。
【００１４】
前室１０から実験室２０に入室する際に用いられる情報入手手段としては、入室者が予め登録されているか否かを判別するために入室者固有の識別情報を得る識別情報読み取り部３１、ロッカー１１に保管されている帽子、実験衣、手袋、マスク、履物等が正しく着用されているか否かの判別を行うために入室者の服装状態を示す映像を得るビデオカメラ３２、入室者が入室前に予め定められた操作、例えば手洗い場１４で除菌や殺菌のための手洗いを行ったか否かを示す操作情報を得る手洗い検出センサ３３等が設けられている。
【００１５】
識別情報読み取り部３１は、入室者が所有する磁気カードやＩＣカードに記録されている識別情報の読み出しを行う。あるいは入室者において、被服で隠されていない部分の生体情報を読み取って識別情報とする。ここで生体情報としては、虹彩、指の指紋、手の静脈パターン、顔、声紋、網膜内の血管パターン等を用いる。なお、識別情報読み取り部３１には、識別情報に関係した通知を、表示あるいは音声等で行う通知手段が設けられている。
【００１６】
ビデオカメラ３２にはセンサが設けられており、入室者が所定位置に立ったとき撮像を行い、入室者の服装状態を示す映像を服装情報とする。なお、ビデオカメラ３２には服装情報に関係した通知を、表示あるいは音声等で行う通知手段が設けられている。
【００１７】
手洗い検出センサ３３は、手洗い場１４で例えば研究者が直接手で操作をすることなく手洗い等を行うことができる場合、手等の洗浄物が近づいたことを検出するために手洗い場１４に設けられている近接センサを利用することができる。また、蛇口から水が流れ出たことを検出する流水検出センサを手洗い検出センサとして用いるものとしても良い。さらに、近接センサと流水検出センサからの両方の信号を用いて手洗いが行われたか否かを示す信号を生成して操作情報とすれば、より正しく手洗いが行われたか否かを示す操作情報を得ることができる。なお、手洗い場１４には、操作情報に関係した通知を、表示あるいは音声等で行う通知手段が設けられている。
【００１８】
実験室２０から前室１０に退室する際に用いられる情報入手手段としては、退室者が誰であるかを判別するために退出者の識別情報を得る識別情報読み取り部４１、室内が退室できる状態とされているか否かを示す状態情報、例えば薬品や試料等が指定された位置に戻されているか否かを示す状態情報を得る保管検出センサ４２や、指定された物品例えば保管庫２２の鍵やノート等が机２３に正しく収納されているか否かや机２３の施錠状態を示す状態情報を得る机管理センサ４３が設けられている。また、退室者が退室前に予め定められた操作、例えば手洗い場２４で除菌や殺菌のための手洗いを行ったか否かを示す操作情報を得る手洗い検出センサ４４や、退室者の服装状態を示す服装情報を得るビデオカメラ４５、退室者の身体状況を計測するセンサ（以下「身体センサ」という）４６等も設けられている。
【００１９】
識別情報読み取り部４１は、上述の識別情報読み取り部３１と同様に構成する。なお、実験室内には、許可された人のみが入室していることから、入室時のように厳密な識別を行う必要はない。このため、識別情報読み取り部４１は識別情報読み取り部３１よりも簡易な構成としても良い。
【００２０】
保管検出センサ４２は、秤やバーコードリーダ、ＩＣタグリーダ等を用いて構成して、秤の計測結果やリーダの読み取り結果を状態情報とする。このように、秤を用いるものとすれば、状態情報に基づき薬品等の使用量も合わせて管理できる。また、バーコードリーダやＩＣタグリーダを用いるものとすれば、薬品や試料等にバーコードやＩＣタグを貼付しておくことで、薬品や試料毎に正しく保管状況を管理できる。
【００２１】
机管理センサ４３は、スイッチ等を用いて構成する。例えば、鍵やノート等が正しく収納されているときや施錠が完了したときにスイッチがオン状態となり、鍵やノート等が取り出されているときや施錠がなされていないときにはスイッチがオフ状態となるようにスイッチを設け、このスイッチの状態を示す信号を状態情報とする。
【００２２】
手洗い検出センサ４４やビデオカメラ４５は、上述の手洗い検出センサ３３やビデオカメラ３２と同様に構成して、服装情報や操作情報を得る。
【００２３】
身体センサ４６は、ビデオカメラや赤外線カメラ、発汗センサ、血圧センサ等を用いて構成し、顔色や舌の色、体温、発汗状態、血圧等を計測する。
【００２４】
扉１２には、扉１２を開閉駆動する扉駆動部５１と、扉１２が開状態であるか閉状態であるかを検出する扉センサ５２とが設けられている。さらに、実験室２０には、侵入者の検出を行う防犯センサ５３や熱・炎・煙・ガス漏れ等の検出を行う防災センサ５４等も必要に応じて設けられる。
【００２５】
図２は、本発明の入退室管理システムの全体構成を示す図である。前室１０に設けられた情報入手手段である識別情報読み取り部３１とビデオカメラ３２と手洗い検出センサ３３、実験室２０に設けられた情報入手手段である識別情報読み取り部４１と保管検出センサ４２、机管理センサ４３、手洗い検出センサ４４、ビデオカメラ４５は、バス６０に接続されている。また、バス６０には、身体センサ４６、扉駆動部５１、扉センサ５２、防犯センサ５３、防災センサ５４が接続されている。さらに、バス６０には、制御部６１や通信インタフェース部６２が接続されている。
【００２６】
制御部６１は、ＣＰＵ(Central Processing Unit)やＲＯＭ(Read Only Memory)、ＲＡＭ(Random Access Memory)、ハードディスクドライブ等を用いて構成されており、ＲＯＭやハードディスクドライブに記憶されているプログラムを実行して、各情報入手手段から供給された情報に基づき送信信号を生成して後述する監視センタ８０に送信する。また、監視センタ８０から供給された信号に基づき、前室１０と実験室２０との間に設けられている扉１２の開閉制御や、表示や音声による種々の通知を行う。通信インタフェース部６２は、公衆通信回線や専用回線等を利用したネットワーク７０を介して監視センタ８０と通信を行うためのものであり、例えばモデムやルータ等を用いて構成される。
【００２７】
監視センタ８０は、ネットワーク７０を介して通信を行うための通信インタフェース部８１が設けられており、この通信インタフェース部８１はバス８７と接続されている。また、バス８７には、入室時管理部８２、退室時管理部８３、空室時管理部８４、管理手順データベース８５、入退室者情報データベース８６が接続されている。
【００２８】
入室時管理部８２は、制御部６１から供給された送信信号に基づいて、実験室２０への入室者や、入室時に規則で定められている入室時手順の履行状態を各入室者毎に管理する。また、入室管理情報を生成して入退室者情報データベース８６に登録する。なお、入室時手順は、後述する管理手順データベース８５から読み出して用いる。
【００２９】
退室時管理部８３は、制御部６１から供給された送信信号に基づいて、実験室２０からの退室者や、退室時に規則で定められている退室時手順の履行状態を各退室者毎に管理する。また、退室管理情報を生成して入退室者情報データベース８６に登録する。なお、退室時手順は、後述する管理手順データベース８５から読み出して用いる。
【００３０】
空室時管理部８４は、制御部６１から供給された送信信号に基づいて、実験室２０が使用されていないときの状態を管理する。
【００３１】
管理手順データベース８５は、入室時に行うべき手順を規定した入室時手順や、退室時に行うべき手順を規定した退室時手順等の管理手順を保持している。入退室者情報データベース８６には、入室管理情報や退室管理情報が入室時管理部８２や退室時管理部８３によって登録される。
【００３２】
次に、入退室管理動作について、フローチャートを用いて説明する。図３は、入室時手順に基づいた管理動作を示している。なお、入室時手順は、入室者が識別情報の入力を行い、規則で定めた服装状態に着替えて、入室前に定められている操作例えば手洗いを行うものとする。
【００３３】
ステップＳＴ１では、入室者は登録された人であるか否かを判別して、登録された人でないときはステップＳＴ２に進み、登録された人であるときはステップＳＴ３に進む。入室者が登録された人であるか否かの判別は、識別情報読み取り部３１で得た識別情報を用いて行う。具体的には、識別情報読み取り部３１で得た識別情報に基づいて送信信号を制御部６１で生成して入室時管理部８２に供給する。入室時管理部８２は、供給された識別情報と予め入室が許可されている人の識別情報と一致するか否かを判別する。ここで、識別情報が一致しないときには登録された人でないと判別してステップＳＴ２に進み、識別情報が一致したときには登録された人であると判別してステップＳＴ３に進む。
【００３４】
ステップＳＴ２では、入室拒否通知を表示や音声等で行いステップＳＴ１に戻る。すなわち、入室時管理部８２は、上述のように識別情報が一致しないとき、制御部６１に対して入室拒否信号を供給する。制御部６１は、入室拒否信号が供給されたとき、識別情報読み取り部３１に設けた通知手段によって、登録がなされていないために入室を許可できない旨の通知を行わせる。
【００３５】
ステップＳＴ３では、登録されている入室者の服装状態が規則に定めた状態であるか否かの判別を行い、服装状態が規則に定めた状態でないときはステップＳＴ４に進み、規則に定めた状態であるときにはステップＳＴ５に進む。服装状態が規則に定めた状態であるか否かの判別は、ビデオカメラ３２によって得られた映像を用いて行う。具体的には、ビデオカメラ３２からの映像信号に基づいて送信信号を制御部６１で生成して入室時管理部８２に供給する。入室時管理部８２は、例えば供給された映像信号から服装の判別を行う頭部や胴体部分および足等の部位の映像信号を抽出して、頭部が帽子の色、胴体部分が実験衣の色、足が指定の履物の色等となっているか否かによって、服装状態が規則に定めた状態であるか否かを判別する。ここで、服装の判別を行う部位のいずれかで、あるいは全てで色が異なるときにはステップＳＴ４に進み、服装の判別を行う全ての部位で、色が正しいと判別されたときはステップＳＴ５に進む。
【００３６】
ステップＳＴ４では、服装状態不適正通知を、表示や音声等で行いステップＳＴ３に戻る。すなわち、入室時管理部８２は、服装の判別を行う部位のいずれかで、あるいは全てで色が異なるとき、制御部６１に対して服装不適正通知信号を供給する。制御部６１は、服装不適正通知信号が供給されたとき、ビデオカメラ３２に設けた通知手段から、服装状態が正しくない旨の通知を行わせる。また、服装不適正通知信号で色の異なる部位を示すものとすれば、いずれの部位の服装状態が適正でないか具体的に通知することもできる。
【００３７】
ステップＳＴ５では、入室者による手洗いが完了したか否かを判別する。手洗いが完了していないときにはステップＳＴ６に進み、手洗いが完了したときはステップＳＴ７に進む。手洗いが完了したか否かの判別は、手洗い検出センサ３３からのセンサ信号を用いて判別する。制御部６１は、手洗い検出センサ３３からのセンサ信号に基づいて送信信号を生成して入室時管理部８２に供給する。入室時管理部８２は、供給されたセンサ信号に基づいて、手洗いが完了したか否かを判別する。例えば、ステップＳＴ３からステップＳＴ５に進んでから所定時間が経過する前に、手洗いが行われていることを示すセンサ信号が供給されないときはステップＳＴ６に進む。また、手洗いが行われていることを示すセンサ信号が供給されたときはステップＳＴ７に進む。
【００３８】
ステップＳＴ６では、手洗い指示通知を、表示や音声等で行いステップＳＴ５に戻る。すなわち、入室時管理部８２は、手洗いが行われていないと判別したとき、制御部６１に対して手洗い指示信号を供給する。制御部６１は、手洗い指示信号が供給されたとき、手洗い場１４に設けられている通知手段から、手洗いの履行を促す通知を行わせる。
【００３９】
ステップＳＴ７では、入室時手順が履行されたことから、入室者情報を入退室者情報データベース８６に登録する。例えば、入室時管理部８２は、登録されている入室者を識別するための識別情報と、入室時刻や服装情報および操作情報を関係付けて入室者情報として、入退室者情報データベース８６に登録する。なお、入室時管理部８２は、登録されていない人の識別情報も時刻と共に登録しておけば、どのような人が入室を試みたか管理することもできる。
【００４０】
ステップＳＴ８では、入室者情報の登録が完了したことから、扉駆動部５１を制御して扉１２の開閉駆動を行い、入室時手順を正しく履行した入室者に対して実験室２０内への入室を許可してステップＳＴ１に戻る。すなわち、入室時管理部８２は、制御部６１に対して入室許可信号を供給する。また制御部６１は、入室許可信号が供給されたとき、扉駆動部５１を制御して扉１２の開閉駆動を行う。なお、扉１２の開閉状態は扉センサ５２からのセンサ信号によって確認できる。
【００４１】
このように、識別情報や服装情報、操作情報を用いて入室管理を行うものとすれば、入室時手順を正しく履行した人のみ入室を許可することができる。また、識別情報と入室時刻や服装情報および操作情報を関係付けて入室者情報として登録することで、入室者を管理するだけでなく、入室時手順の履行状態を入室者毎に管理することもできる。
【００４２】
次に、退室時手順に基づいた管理動作について図４のフローチャートを用いて説明する。なお、退室時手順は、退室者が識別情報の入力を行い、退室前に定められている操作例えば手洗いを行う。その後、規則で定めた服装状態であることの確認や身体状況の計測を行うものとする。また、最後の退室者は、室内が退室できる状態とされているか否かの確認を行うものとする。
【００４３】
ステップＳＴ１１では、退室者の識別が完了したか否かを判別して、識別が完了していないときにはステップＳＴ１２に進み、識別が完了したときにはステップＳＴ１３に進む。退室者の識別は、識別情報読み取り部４１によって得た識別情報を用いて行う。具体的には、識別情報読み取り部４１で得た識別情報に基づいて送信信号を制御部６１で生成して退室時管理部８３に供給する。退室時管理部８３は、供給された識別情報と実験室２０に入室している人の識別情報を比較して、いずれが退室しようとしているか判別する。ここで、供給された識別情報が入室している人の識別情報と一致しないときには、識別が完了していないと判別してステップＳＴ１２に進み、識別情報が一致したときには退室者の識別の完了と判別してステップＳＴ１３に進む。
【００４４】
ステップＳＴ１２では、識別情報再入力通知を、表示や音声で行いステップＳＴ１１に戻る。すなわち、退室時管理部８３は、上述したように識別情報が一致しないとき、制御部６１に対して再入力指示信号を供給する。制御部６１は、再入力指示信号が供給されたとき、識別情報読み取り部４１に設けた通知手段によって、識別情報の再入力を促す通知を行わせる。
【００４５】
ステップＳＴ１３では、室内に残っている人がいるか否かの判別を行う。ここで、残っている人がいないときにはステップＳＴ１４に進み、残っている人がいるときにはステップＳＴ１８に進む。室内に残っている人がいるか否かの判別は、例えば退室者が、最後の退室者であるか否かを示す操作を行うものとしたり、防犯センサ５３からのセンサ信号を利用して、室内に残っている人がいるか否かの判別を行うこともできる。また、入室者情報によって室内に入室した人を管理できることから、入室者情報に退室したか否かを示す情報を関係付けて記憶させるものとすれば、室内に残っている入を容易に判別することもできる。
【００４６】
ステップＳＴ１４では、室内が退室できる状態とされているか否か、例えば薬品等が正しい位置に置かれているか否かを判別する。ここで正しい位置に置かれていないときにはステップＳＴ１５に進み、正しい位置に置かれているときはステップＳＴ１６に進む。薬品や試料等が正しい位置に置かれているか否かの判別は、保管検出センサ４２からのセンサ信号に基づいて判別する。制御部６１は、保管検出センサ４２からのセンサ信号に基づいて送信信号を生成して退室時管理部８３に供給する。退室時管理部８３は、供給されたセンサ信号に基づいて、薬品や試料等が正しい位置に置かれているか否かの判別を行う。
【００４７】
ステップＳＴ１５では、保管指示通知を、表示や音声等で行いステップＳＴ１４に戻る。すなわち、退室時管理部８３は、薬品や試料等が正しい位置に置かれていないことを判別したとき、制御部６１に対して保管指示信号を供給する。制御部６１は、保管指示信号が供給されたとき、保管検出センサ４２に設けられた通知手段から、薬品や試料等を正しい位置に戻すように指示する通知を行わせる。ここで、識別情報読み取り部４１と保管検出センサ４２が離れているときには、保管検出センサ４２に設けられた通知手段で表示を行っても、退室しようとする人に通知が届かないおそれがある。このため、音声で通知をものとすれば、より確実に退室者に通知を行うことができる。また、識別情報読み取り部４１の近傍に表示部を設けて、この表示部で保管指示通知を行うものとしてもよい。さらに、保管指示信号で、いずれの薬品や試料が正しい位置とされていないかを示すものとすれば、正しい位置に保管されていない薬品や試料等を具体的に指摘することもできる。
【００４８】
ステップＳＴ１６では、室内が退室できる状態とされているか否かの判別として、鍵やノートが戻されて施錠がなされているか否かの判別を行う。ここで、鍵やノートが机２３の中に戻されていないときや机２３の施錠がなされていないときにはステップＳＴ１７に進み、鍵やノートが戻られて施錠がなされているときにはステップＳＴ１８に進む。鍵やノートが戻されているかや施錠がなされているか否かの判別は、机管理センサ４３からのセンサ信号に基づいて判別する。制御部６１は、机管理センサ４３からのセンサ信号に基づいて送信信号を生成して退室時管理部８３に供給する。退室時管理部８３は、供給されたセンサ信号に基づいて、鍵やノートが机２３の中に戻されており、机２３の施錠がなされているか否かを判別する。
【００４９】
ステップＳＴ１７では、机管理指示通知を、表示や音声等で行いステップＳＴ１６に戻る。すなわち、退室時管理部８３は、鍵やノートが戻されていないことや施錠がなされていないことを判別したとき、制御部６１に対して机管理指示信号を供給する。制御部６１は、机管理指示信号が供給されたとき、机管理センサ４３に設けられた通知手段から鍵やノートを戻したり施錠を行うように指示する通知を行わせる。この机管理指示信号に基づく通知も、上述の保管指示信号に基づく通知の場合と同様に音声で通知を行うものとしたり、識別情報読み取り部４１の近傍設けた表示部で通知を行うものとしてもよい。さらに、机管理指示信号で、机に収納するいずれの物品が戻されていないかを示すものとしたり、施錠がなされていないことを示すものとすれば、物品や施錠等を具体的に指摘することもできる。
【００５０】
ステップＳＴ１８では、退室者による手洗いが行われたか否かを判別する。手洗いが行われていないときにはステップＳＴ１９に進み、手洗いが行われたときはステップＳＴ２０に進む。手洗いが行われたか否かの判別は、手洗い検出センサ４４からのセンサ信号を用いて、上述の入室時手順に基づいた管理動作と同様にして行うことができる。
【００５１】
ステップＳＴ１９では、手洗い指示通知を、表示や音声等で行いステップＳＴ１８に戻る。すなわち、退室時管理部８３は、手洗いが行われていないと判別したとき、制御部６１に対して手洗い指示信号を供給する。制御部６１は、手洗い指示信号が供給されたとき、手洗い場２４に設けられている通知手段から、手洗いの履行を促す通知を行わせる。
【００５２】
ステップＳＴ２０では、退室者の服装状態が規則に定めた状態であるか否かの判別を行い、服装状態が規則に定めた状態でないときはステップＳＴ２１に進み、規則に定めた状態であるときにはステップＳＴ２２に進む。服装状態が規則に定めた状態であるか否かの判別は、ビデオカメラ４５によって得られた映像を用いて、上述の入室時手順に基づいた管理動作と同様にして行うことができる。
【００５３】
ステップＳＴ２１では、服装状態不適正通知を、表示や音声等で行いステップＳＴ２０に戻る。すなわち、退室時管理部８３は、服装の判別を行う部位のいずれかで、あるいは全てで色が異なるとき、制御部６１に対して服装不適正通知信号を供給する。制御部６１は、服装不適正通知信号が供給されたとき、ビデオカメラ４５に設けた通知手段から、服装状態が正しくない旨の通知を行わせる。また、服装不適正通知信号で色の異なる部位を示すものとすれば、いずれの部位の服装状態が適正でないか具体的に通知することもできる。
【００５４】
ステップＳＴ２２では、退室者の身体状況の計測が完了したか否かを判別して、計測が完了していないときはステップＳＴ２３に進み、計測が完了したときはステップＳＴ２４に進む。計測が完了したか否かの判別は、身体センサ４６からのセンサ信号に基づいて判別する。すなわち、制御部６１は、身体センサ４６からのセンサ信号に基づいて送信信号を生成して退室時管理部８３に供給する。退室時管理部８３は、供給されたセンサ信号に基づいて、退室者の顔色や舌の色、体温、発汗状態、血圧等の計測を行い、所望項目の計測結果が得られたときは計測の完了と判別する。なお、退室者の顔色や舌の色の計測は、ビデオカメラ４５によって得られた映像を利用することもできる。
【００５５】
ステップＳＴ２３では、計測指示通知を、表示や音声等で行いステップＳＴ２２に戻る。すなわち、退室時管理部８３は、計測が完了していないと判別したとき、制御部６１に対して計測指示信号を供給する。制御部６１は、計測指示信号が供給されたとき、この計測指示信号に基づき身体センサ４６に設けられている通知手段から、計測中あるいは計測未完了であることを示す通知を行う。
【００５６】
ステップＳＴ２４では、退室時手順が履行されたことから、退室者情報を入退室者情報データベース８６に登録する。例えば、退室時管理部８３は、退室者の識別情報と、退室時刻や服装情報および操作情報および身体状況の計測結果を関係付けて退室者情報として、入退室者情報データベース８６に登録する。また、最後の退室者であるときは、室内が退室できる状態とされているか否かを示す状態情報も関係付けて登録する。
ステップＳＴ２５では、退室者情報の登録が完了したことから、扉駆動部５１を制御して扉１２の開閉駆動を行い、退室時手順を正しく履行した退室者に対して実験室２０からの退室を許可してステップＳＴ１１に戻る。すなわち、退室時管理部８３は、制御部６１に対して退室許可信号を供給する。また制御部６１は、退室許可信号が供給されたとき、扉駆動部５１を制御して扉１２の開閉駆動を行う。
【００５７】
このように、識別情報や服装情報、操作情報を用いて退室管理を行うものとすれば、退室時手順を正しく履行した人のみ退室を許可することができる。また、最後の退室者については、室内が退室できる状態とされているか否かを示す状態情報も用いて退室の制御を行うことで、実験室２０を正しく利用させることもできる。さらに、身体状況の計測結果も関係付けて登録すれば、汚染による人体被害の拡大も防止することが可能となる。
【００５８】
さらに、空室時管理部８４は、実験室２０が使用されていないときに防犯センサ５３や防災センサ５４からのセンサ信号を用いることで、侵入者の検出や火災等の発生等のセキュリティ管理を行うことができる。
【００５９】
ところで、上述の実験室では物理的封じ込めレベルが高く設定されており、開閉可能な窓は設けられていない場合について説明したが、入退室の管理対象となる施設は、上述のように遺伝子組換え実験を行うような物理的封じ込めレベルが高く設定されている施設に限られるものではない。例えば物理的封じ込めを行う必要の無い施設等への入退室管理についても適用できる。また、物理的封じ込めを行う必要の無い施設等では、開閉可能な窓が設けられる場合がある。このような場合には、窓に開閉センサを設けものとして、室内が退室できる状態とされているか否かを示す状態情報として、開閉センサのセンサ信号を用いて退室の制御を行うものとすれば、外部からの侵入も防止することが可能となる。
【００６０】
また、情報入手手段として、上述の形態に記載した情報入手手段を全て用いる場合に限られるものではなく、複数の情報を用いて行うものとしても良い。例えば、識別情報と服装情報で入退室管理を行うものとしたり、識別情報と操作情報で入退室管理を行うこともできる。なお、入退室管理に識別情報を用いることで、入室者や退室者毎に種々の情報を関係付けて入退室者情報データベース８６に登録することができる。また、情報入手手段は上述のビデオカメラやセンサに限られるものでもない。例えば、帽子や実験衣等にＩＣタグを設けておき、入退室前にＩＣタグリーダで各部位に対する読み取りを行うものとすれば、ビデオカメラを用いることなく服装情報を得ることができる。また、操作情報としては、エアーシャワー等を通過したか否かを示す情報を用いることもできる。
【００６１】
以上のように、入退室の管理対象となる施設への入退室管理を、上述したように行うものとすれば、入退室についての運用規則を確実に遵守させることができる。また、入退室者情報が登録されているので、運用規則の遵守状況を記録として残すことができる。さらに、ネットワーク７０を介して監視センタ８０で入退室の管理を行うことができるので、入退室の管理対象となる施設が離れた位置に複数設けられていても、監視センタ８０で一元管理することができる。
【産業上の利用可能性】
【００６２】
以上のように、本発明にかかる入退室管理システムは、施設への入退室管理を運用規則に則って行う際に有用である。
【図面の簡単な説明】
【００６３】
【図１】実験室および前室を示す図である。
【図２】本発明の入退室管理システムの全体構成を示す図である。
【図３】入室時手順に基づいた管理動作を示すフローチャートである。
【図４】退室時手順に基づいた管理動作を示すフローチャートである。
【符号の説明】
【００６４】
１０・・・前室、１１・・・ロッカー、１２，１３・・・扉、１４，２４・・・手洗い場、２０・・・実験室、２１・・・作業台、２２・・・保管庫、２３・・・机、３１，４１・・・識別情報読み取り部、３２，４５・・・ビデオカメラ、３３，４４・・・手洗い検出センサ、４２・・・保管検出センサ、４３・・・机管理センサ、４６・・・身体センサ、５１・・・扉駆動部、５２・・・扉センサ、５３・・・防犯センサ、５４・・・防災センサ、６０、８７・・・バス、６１・・・制御部、６２，８１・・・通信インタフェース部、７０・・・ネットワーク、８０・・・監視センタ、８２・・・入室時管理部、８３・・・退室時管理部、８４・・・空室時管理部、８５・・・管理手順データベース、８６・・・入退室者情報データベース
【図１】
0004781042.tif 000002
【図２】
0004781042.tif 000003
【図３】
0004781042.tif 000004
【図４】
0004781042.tif 000005